(57)【要約】【課題】多数の建物及びエレベータに取付けられた振動センサの振動データを収集し解析し、ユーザその他の公共機関で必要とする情報を作成し提供することにある。【解決手段】建物１の各エレベータ２の乗りかご７に設置される振動センサ１０と、この振動センサ１０から出力される振動信号を受信するビル監視装置２０とを備え、このビル監視装置２０は、振動センサ１０からの振動データを収集し蓄積する実績データ蓄積手段２２ａと、この蓄積された時系列的な振動の加速度データからエレベータの位置情報を求めて、この情報と振動のデータの対のデータ群を統計解析するデータ解析手段２２ｂと、この解析データから乗りかご７の正常運転時の正常振動と乗りかごを含むエレベータの故障・異常振動とに分離する正常・異常振動分離手段２２ｃとを設け、建物の建築ユーザ等に故障・異常状態を提供可能とするビルの監視システムである。【選択図】図１
2008150186.tif 000002
【特許請求の範囲】
【請求項１】
建物の各エレベータの乗りかごに設置される振動センサと、
この振動センサから出力される振動センサの振動信号を受信し、エレベータ及び乗りかごの状況を監視するビル監視装置とを備え、
このビル監視装置は、振動センサから送られてくる振動データを収集し時系列的に蓄積する実績データ蓄積手段と、この実績データ蓄積手段により蓄積される時系列的な振動の加速度データからエレベータの位置情報を求めて、この情報と振動のデータの対のデータ群を統計解析するデータ解析手段と、このデータ解析手段で得られる解析データから前記乗りかごの正常運転時の正常振動と前記乗りかごを含むエレベータの故障・異常振動とに分離する正常・異常振動分離手段とを設けたことを特徴とするビルの監視システム。
【請求項２】
前記データ解析手段は、振動センサの高さ方向の加速度信号を、時間で２回積分し、位置情報を求めて、正常時の振動と位置のデータの対を蓄積し、統計解析による分析データに基づいて前記エレベータの乗りかごの正常走行時における小さな上下限揺れしきい値及び当該乗りかごの各階停止時の大きな上下限揺れしきい値とを決定し、
前記正常・異常振動分離手段は、前記データ解析手段で解析された解析データ値と前記上下限揺れしきい値とを比較し、当該分析データが当該上下限揺れしきい値を超えたとき、前記乗りかごを含むエレベータが故障・異常であると判断することを特徴とする請求項１に記載のビルの監視システム。
【請求項３】
建物の各エレベータの乗りかごに設置される振動センサと、
この振動センサから出力される振動センサの振動信号を受信し、エレベータ及び乗りかごの状況を監視するビル監視装置とを備え、
このビル監視装置は、振動センサから送られてくる振動データを収集し時系列的に蓄積する実績データ蓄積手段と、この実績データ蓄積手段により蓄積される時系列的な振動の加速度データから、予め前記乗りかごの乗り心地を表す複数段階の快適性データの振幅レベルを統計的に解析するデータ解析手段と、この振幅レベルを設定する手段と、前記振動データと前記解析データである加速度の変化と複数段階の振幅レベルとを比較し、前記乗りかごの乗り心地に関する快適性を判断する快適性判断手段と、乗りかご内にも現在の乗り心地表示を行う手段とを設けたことを特徴とするビルの監視システム。
【請求項４】
請求項１、請求項２、請求項４の何れか一項に記載のビルの監視システムにおいて、
前記ビル監視装置は、前記正常・異常振動分離手段により、前記乗りかごを含むエレベータの故障・異常振動と診断されたとき、前記ビル監視装置が設置される監視センタや該当エレベータを設置する建物の監視室に自動通報する監視通報手段を付加したことを特徴とするビルの監視システム。
【請求項５】
請求項１または請求項２に記載のビルの監視システムにおいて、
前記ビル監視装置は、エレベータの機械系の故障・異常に関する特徴振動パターン及び前記乗りかご内で人が暴漢に襲われたり、人が倒れたときの特徴振動パターンを予め収集し分類して記憶設定する設定手段と、前記正常・異常振動分離手段で異常振動と診断されたとき、前記振動センサの振動データまたは前記データ解析手段で解析された加速度の変化が前記特徴振動パターンとほぼ類似しているとき、この類似する特徴振動パターンから異常内容を判別する異常内容判別手段と、この異常内容判別手段で判別された異常内容を保守サービス拠点や該当建物の監視室に通報する監視通報手段とを付加したことを特徴とするビルの監視システム。
【請求項６】
各建物が建っている地面固定部に設置される振動センサと、
この多数の建物の地面固定部に設置される振動センサから出力される振動センサの振動信号を受信し、各建物位置における地震状況を監視するビル監視装置とを備え、
このビル監視装置は、各振動センサから送られてくる振動データを収集し蓄積する実績データ蓄積手段と、地震発生時、当該実績データ蓄積手段により蓄積された振動データの揺れから地震震度に変換する地震震度解析手段と、この地震震度解析手段で得られた地震震度データを前記各建物の地面固定部の経緯度地点データに書き込む地震震度分布生成手段と、この地震震度分布生成手段で生成された各経緯度地点の地震震度データを契約機関に配信する情報サービス配信手段とを設けたことを特徴とするビルの監視システム。
【請求項７】
各建物の複数の固定部位に設置される振動センサと、
これらの振動センサから出力される振動センサの振動信号を受信し、建物の揺れの状況を監視するビル監視装置とを備え、
このビル監視装置は、各振動センサから送られてくる振動データを収集し蓄積する実績データ蓄積手段と、地震発生時、前記各振動センサの振動データから該当建物の揺れを求める建物揺れ解析手段と、該当建物の複数固定部位ごとの揺れに対し、建築基準法に準拠して地震震度に対応して、定められた建物要求強度性能を満足しているかを、予め定めた振動しきい値のもとに各建物の構造強度を判定する建物強度判定手段と、この建物強度判定手段で求めた建物構造強度を該当建物のオーナや居住者等のユーザに提供する情報サービス配信手段を設けたことを特徴とするビルの監視システム。
【請求項８】
各建物の複数の固定部位に設置される振動センサと、
多数の建物の各固定部位に設置される振動センサから出力される振動センサの振動信号を受信し、建物の状況を監視するビル監視装置とを備え、
このビル監視装置は、各振動センサから送られてくる振動データを収集し蓄積する実績データ蓄積手段と、地震発生時、前記各振動センサの振動データから該当建物の揺れを求める建物揺れ解析手段と、該当建物が建っているところと地震震度が同じ地域の類似の各建物の揺れの平均値を算出し、この算出された平均揺れ値と該当建物の揺れとの相対的な差の数値データを求める建築強度判定手段と、この手段で求めた判定結果を建物のオーナや居住者等のユーザに提供する情報サービス配信手段とを設けたことを特徴とするビルの監視システム。
【請求項９】
各建物の複数の固定部位に設置される振動センサと、
多数の建物の各固定部位に設置される振動センサから出力される振動センサの振動信号を受信し、建物の状況を監視するビル監視装置とを備え、
このビル監視装置は、各振動センサから送られてくる振動データを収集し蓄積する実績データ蓄積手段と、地震発生時、前記各振動センサの振動データから該当建物の揺れを求める建物揺れ解析手段と、新たに地震が発生した時、前記建物揺れ解析手段で求めた今回の地震の揺れと同一建物の過去の同じ震度時の揺れのデータを比較し、当該同一建物の劣化度の評価や建物の補修・建替え時期を推定する建物強度判定手段と、この建物強度判定手段で推定された建物の劣化度の評価や建物の補修・建替え時期情報を建物のオーナや居住者等のユーザに提供する情報サービス配信手段とを設けたことを特徴とするビルの監視システム。
【請求項１０】
各建物の複数の固定部位に設置される振動センサと、
多数の建物の各固定部位に設置される振動センサから出力される振動センサの振動信号を受信し、建物の状況を監視するビル監視装置とを備え、
このビル監視装置は、各振動センサから送られてくる振動データを収集し蓄積する実績データ蓄積手段と、地震発生時、前記各振動センサの振動データから該当建物の揺れを求める建物揺れ解析手段と、この建物揺れ解析手段で求めた該当建物の揺れと建築基準法に準拠した地震震度及び建物各部位の構造強度に対する揺れしきい値とを考慮し、各建物の倒壊・崩壊等の被害推定情報を作成する建物強度判定手段と、この建物強度判定手段で作成された各建物の被害推定情報を契約機関に提供する情報サービス配信手段とを設けたことを特徴とするビルの監視システム。
【発明の詳細な説明】
【技術分野】
【０００１】
本発明は、多数の建物に設置されるエレベータ内外のセンサデータを収集し、エレベータを含む建物の状況を予兆するビルの監視システムに関する。
【背景技術】
【０００２】
一般に、昇降路や乗りかごなどに振動センサその他のセンサを取付け、これらセンサで検出されるセンサデータに基づき、例えば地震発生時に乗りかごを最寄階まで運転した後に停止させ、エレベータドアを開けて利用者を停止階に下ろすことにより、乗りかご内の人の安全を確保する人的安全技術は既に周知となっている。
【０００３】
従来、振動センサなどのセンサデータを収集する技術としては、エスカレータの上下階床下部の機械室に設置される主要構成部材に振動センサを取付けるとともに、当該機械室の外部に振動センサの出力端子を取付ける。そして、データ収集時、センサ出力端子に携帯形データ収集器を接続し、各主要構成部材に取付けた振動センサのセンサデータを読み取り収集する。センサデータの収集後、センサ出力端子から携帯形データ収集器を切り離し、保守サービス拠点等に持ち込み、データファイルに保存する。そして、一定期間にわたる同一センサのセンサデータを分析し、主要構成部材における故障の前兆等を診断する構成である。
【０００４】
すなわち、このセンサデータの収集技術は、人為的なデータ収集のミスをなくし、何れの保守員でも確実にセンサデータを収集することにある（特許文献１）。
【０００５】
また、他の技術としては、エレベータの緊急時セキュリティ装置が提案されている。  
この緊急時セキュリティ装置は、エレベータの乗りかごに音波センサ、振動センサ、タッチスイッチ等を取付け、かご内で暴漢に襲われたり、或いはエレベータが緊急停止したとき、危険な状況をセンサの出力データやタッチスイッチのタッチデータにより外部に告知する構成である（特許文献２）。
【特許文献１】特開平０８−１９８５６７号公報（図１参照）
【特許文献２】特開２００５−６７７７７号公報（図２参照）
【発明の開示】
【発明が解決しようとする課題】
【０００６】
しかし、特許文献１の技術は、前述したように人為的なデータ収集ミスを無くすために、
機械室内部の主要構成部材に取付けられた各種センサにケーブルを接続し、当該ケーブルの端部を機械表面部の適宜な個所の出力端子まで敷設して接続する。そして、出力端子に対して、必要時にコネクタを介して携帯形データ収集器を接続し、センサのセンサデータを記録する。従って、この技術は、データ収集方法に関する技術であり、特にその現場にてデータを収集し、主要構成部材の現況を解析するものではない。
【０００７】
また、特許文献１の技術は、多数のエスカレータの主要構成部材の状況を把握する場合、保守員がエスカレータごとにセンサの出力データを収集記録する必要があり、保守員の負担が増大する問題がある。
【０００８】
一方、特許文献２の技術は、前述したようにエレベータの乗りかご内で暴漢に襲われた時や緊急停止した時の対策に限られる。よって、振動センサ等の出力データをそのまま利用し、緊急時の状況を把握するものであって、振動センサ等の出力データを解析し、エレベータの状況を予測する技術ではない。
【０００９】
本発明は上記事情に鑑みてなされたもので、全国に散在する多数の建物及びエレベータに取付けられた振動センサの振動データを収集し解析し、ユーザや公共機関で必要とする情報を作成し提供し、エレベータを含む建物の安全性，安心感を確保するビルの監視システムを提供することを目的とする。
【課題を解決するための手段】
【００１０】
上記課題を解決するために、本発明に係るビルの監視システムは、建物の各エレベータの乗りかごに設置される振動センサと、この振動センサから出力される振動センサの振動信号を受信し、エレベータ及び乗りかごの状況を監視するビル監視装置とを備え、このビル監視装置は、振動センサから送られてくる振動データを収集し時系列的に蓄積する実績データ蓄積手段と、この実績データ蓄積手段により蓄積される時系列的な振動の加速度データからエレベータの位置情報を求めて、この情報と振動のデータの対のデータ群を統計解析するデータ解析手段と、このデータ解析手段で得られる解析データから前記乗りかごの正常運転時の正常振動と前記乗りかごを含むエレベータの故障・異常振動とに分離する正常・異常振動分離手段とを設けた構成である。
【００１１】
また、前記ビル監視装置としては、振動センサから送られてくる振動データを収集し時系列的に蓄積する実績データ蓄積手段と、この実績データ蓄積手段により蓄積される時系列的な振動の加速度データから、予め前記乗りかごの乗り心地を表す複数段階の快適性データの振幅レベルを統計的に解析するデータ解析手段と、この振幅レベルを設定する手段と、前記振動データと前記解析データである加速度の変化と複数段階の振幅レベルとを比較し、前記乗りかごの乗り心地に関する快適性を判断する快適性判断手段と、乗りかご内にも現在の乗り心地表示を行う手段とを設けた構成であってもよく、或いは、前記正常・異常振動分離手段により、前記乗りかごを含むエレベータの故障・異常振動と診断されたとき、前記ビル監視装置が設置される監視センタや該当エレベータを設置する建物の監視室に自動通報する監視通報手段を設けた構成であってもよい。
【００１２】
（２）  また、本発明に係るビルの監視システムは、各建物が建っている地面固定部に設置される振動センサと、この多数の建物の地面固定部に設置される振動センサから出力される振動センサの振動信号を受信し、各建物位置における地震状況を監視するビル監視装置とを備え、このビル監視装置は、各振動センサから送られてくる振動データを収集し蓄積する実績データ蓄積手段と、地震発生時、当該実績データ蓄積手段により蓄積された振動データの揺れから地震震度に変換する地震震度解析手段と、この地震震度解析手段で得られた地震震度データを前記各建物の地面固定部の経緯度地点データに書き込む地震震度分布生成手段と、この地震震度分布生成手段で生成された各経緯度地点の地震震度データを契約機関に配信する情報サービス配信手段とを設けた構成である。
【００１３】
（３）  さらに、本発明に係るビルの監視システムは、各建物の複数の固定部位に設置される振動センサと、多数の建物の各固定部位に設置される振動センサから出力される振動センサの振動信号を受信し、建物の状況を監視するビル監視装置とを備え、このビル監視装置は、各振動センサから送られてくる振動データを収集し蓄積する実績データ蓄積手段と、地震発生時、前記各振動センサの振動データから該当建物の揺れを求める建物揺れ解析手段と、新たに地震が発生した時、前記建物揺れ解析手段で求めた今回の地震の揺れと同一建物の過去の同じ震度時の揺れのデータを比較し、当該同一建物の劣化度の評価や建物の補修・建替え時期を推定する建物強度判定手段と、この建物強度判定手段で推定された建物の劣化度の評価や建物の補修・建替え時期情報を建物のオーナや居住者等のユーザに提供する情報サービス配信手段とを設けた構成である。
【発明の効果】
【００１４】
本発明によれば、全国に散在する多数の建物及びエレベータに取付けられた振動センサの振動データを収集し解析し、ユーザその他の公共機関で必要とする情報を作成し提供でき、エレベータを含む建物の安全性及び安心感を確保できるビルの監視システムを提供できる。
【発明を実施するための最良の形態】
【００１５】
先ず、本発明に係るビルの監視システムにおける実施の形態を説明するに先立ち、本発明を理解する上で必要な基礎的な資料について説明する。
【００１６】
従来、広域にわたる地震震度分布を把握するために、気象庁のホームページによれば、関東地域では図７に示すように、公共機関の地震震度分布観測点が設けられている。この広域地図を見たとき、東京都都区内の観測点が密であるように見えるが、観測点のマークが大きいことから、実際には観測されていない地点が多く存在する。
【００１７】
一方、地震発生時に実際に観測されるデータの波形例は図８に示す通りである。図８は、防災科学技術研究所が運用しているK−NETホームページから引用したものであって、２００５年０７月２３日に千葉県北西部で起きた地震に関し、横浜の観測点で観測された波形である。なお、地震観測に当たっては、３軸加速度計を用いて観測したものであり、上段の波形はＮ−Ｓ方向、中段の波形はＥ−Ｗ方向、下段の波形はＵ−Ｄ方向の波形である。
【００１８】
さらに、建築基準法に準拠して必要な建物強度の要求性能例は、図９（ａ）、（ｂ）に示す通りである。同図（ａ）は重要な建物に関する要求性能例であり、同図（ｂ）は一般の建物に関する要求性能例である。
【００１９】
通常、建物を建設する場合、構造計算段階、その構造計算結果に基づく設計段階、実際の建物の施行段階ごとに図９に示す要求性能は考慮されているはずである。しかし、建物の竣工後、地震発生時に各震度に対応した実際の建物の揺れ，ひいては建物の状況等について、センサのセンサデータから確認していない。つまり、建物の安全上から実際の建物の揺れの変化は非常に重要となるが、従来はその確認がなされていない。
【００２０】
以下、本発明に係るビルの遠隔監視システムの実施の形態について、前述した基礎的な資料を前提とし、図面を参照して説明する。
【００２１】
（実施の形態１）
図１は本発明に係るビルの監視システムの実施の形態１を示す構成図である。  
関東地域を含む全国地域には多数の建物（ビル）１が建てられ、各建物１にはそれぞれエレベータ２が設置されている。各エレベータ２は、建物１内に昇降路３が設けられ、エレベータ制御盤４による運転制御のもとに巻上機５が回転駆動し、当該巻上機５に巻き掛けられた鋼索６を介して乗りかご７に乗せたエレベータ利用者を目的階に運ぶ構成である。８はつり合いおもりである。
【００２２】
ビルの監視システムは、以上のように全国的に展開される各エレベータ２の乗りかご７に３軸加速度計などの無線タグ形式の振動センサ１０を設置するとともに、各昇降路３を含む建物１の適宜な個所にアンテナ１１を設置する。なお、昇降路３ではなく、建物１の適宜な個所にアンテナ１１を設置すれば、同一建物1内に設置される複数号機のエレベータ２に設置される振動センサ１０の振動データを受信することができる。
【００２３】
すなわち、本発明に係るビルの遠隔監視システムは、無線タグ形式の振動センサ１０と、送受信アンテナ１１と、通信制御機器１２と、この通信制御機器１２に公衆通信回線やインターネット等の通信ネットワーク１３を介して接続される遠隔監視センタ内の遠隔エレベータ監視装置（ビル監視装置、以下同じ）２０とで構成される。
【００２４】
各振動センサ１０は、それぞれ固有識別情報とともに乗りかご７のかご振動データを通信制御機器１２に送出する。
【００２５】
通信制御機器１２は、該当建物１に設置され、アンテナ１１で受信された固有識別データを含む乗りかご７のかご振動データを受け取り、通信ネットワーク１３を中継して遠隔ビル監視装置（以下、エレベータ監視装置と呼ぶ）２０に送信する。なお、アンテナ１１を含む通信制御機器１２は、エレベータ制御盤４内に設けた構成であってもよい。
【００２６】
通信ネットワーク１３は、他の多数の建物１，…内のエレベータ２に設置される無線タグ形式の振動センサ１０で検知される固有識別データを含む乗りかご７のかご振動データを中継し、遠隔エレベータ監視装置２０に送信する役割を持っている。
【００２７】
遠隔エレベータ監視装置２０は、データベース２１と、ＣＰＵを中心に構成される監視処理制御部２２と、キーボードその他マウスなどのポインティングデバイスなどからなる指示データ入力手段２３と、データバッフア記憶部２４と、表示部２５とで構成される。
【００２８】
データベース２１には、実績データ蓄積領域２１ａ、解析データ蓄積領域２１ｂ、設定データ領域２１ｃ及びその他のデータ記憶領域２１ｄが設けられている。
【００２９】
監視処理制御部２２は、実績データ蓄積手段２２ａと、データ解析手段２２ｂと、正常・異常振動分離手段２２ｃとが設けられている。
【００３０】
実績データ蓄積手段２２ａは、各建物１，…の通信制御機器１２から送られてくる固有識別データを含む乗りかご７のかご振動データを受信し、固有識別データのもとに実績データ蓄積領域２１ａに３軸方向のかご振動データである実績データを時系列的に蓄積する機能を有する。
【００３１】
データ解析手段２２ｂは、データベース２１の実績データ蓄積領域２１ａから時系列的な各軸成分（方向）の実績データを読み出し、各軸成分ごとの実績データから例えば縦軸を加速度（時間）、横軸を高さ位置（時間）に変換する演算処理を実施し、その演算結果データをデータベース２１の解析データ蓄積領域２１ｂに保存する。
【００３２】
また、データ解析手段２２ｂは、解析データ蓄積領域２１ｂに保存される演算結果データを表示部２５に表示し、統計解析等に基づき、エレベータ２の乗りかご７の正常運転時の揺れ値（上下加速度値）を決定し、データベース２１の設定データ領域２１ｃに保存する。
【００３３】
従って、データ解析手段２２ｂは、演算結果データ及びかご正常運転時の揺れ値（上下加速度値）等の解析結果データを取得する。
【００３４】
正常・異常振動分離手段２２ｃは、解析結果データを用いて、エレベータ２及び乗りかご７内の状況，つまり正常と異常(故障を含む)とを分離し、異常時に解析データ蓄積領域２１ｂに固有識別データと対応付けてエレベータ2の故障・かご7内の異常データを格納するとともに、表示部２５に表示する。
【００３５】
次に、以上のようなビルの監視システムの動作について説明する。
【００３６】
各建物１に設置される通信制御機器１２は、アンテナ１１で受信される無線タグ形式の振動センサ１０の固有識別データを含む乗りかご７の時系列的な振動データを、通信ネットワーク１３を介して遠隔エレベータ監視装置２０に送信する。
【００３７】
ここで、遠隔エレベータ監視装置２０の監視処理制御部２２は、実績データ蓄積手段２２ａを実行する。実績データ蓄積手段２２ａは、固有識別データを含む乗りかご７の３軸方向の時系列的なかご振動データを受信すると、固有識別データのもとにかご振動データである実績データを順次時系列的に実績データ蓄積領域２１ａに蓄積していく。
【００３８】
なお、かご振動データである実績データの中には、乗りかご７への利用者の乗降，ドア開閉，走行等の正常振動の他、エレベータの機械的故障，かご7内の人の動き,例えば人が暴れている等の異常による異常振動も含まれている。
【００３９】
そこで、監視処理制御部２２は、所定の周期ごとにデータ解析手段２２ｂを実行する。データ解析手段２２ｂは、データベース２１の実績データ蓄積領域２１ａから３軸（ｘ，ｙ，ｚ）成分（方向）の時系列的な実績データを読み出してデータバッフア記憶部２４に一次的に格納する。なお、実績データは、３軸（ｘ，ｙ，ｚ）の加速度Ａｘ，Ａｙ，Ａｚと時間とが対となっている。つまり、実績データは、図８に示すような地震発生時の波形と同様に３軸分の振動波形（横軸時間）が各振動センサ１０から取得されている。
【００４０】
そこで、データ解析手段２２ｂは、振動センサ１０から取得された３軸成分の中のｚ成分（Ｕ-Ｄ＝高さ方向）だけの実績データを抽出し、下式にごとく積分し、速度ｖ（時間）を演算処理する。  
∫Ａｚｄｔ＝∫（ｄｖ／ｄｔ）ｄｔ＝ｖ                            ……（１）  
さらに、速度を積分すると、下式に示すように高さ方向の位置（時間）ｈが求まる。  
∫ｖｄｔ＝∫（ｄｈ／ｄｔ）ｄｔ＝ｈ                              ……（２）  
以上のようにして得られた演算結果データはデータベース２１の解析データ蓄積領域２１ｂに保存される。ちなみに、この演算結果データから、縦軸を加速度Ａｚ、横軸を高さ方向の位置ｈとし、グラフ化したとき、図２に示すようになる。
【００４１】
図２は乗りかご７の走行時及び各階停止時における加速度の変化（揺れの大きさ）を表している。なお、図２の例ではエレベータは各階で停止している。実線はかご運転正常時の振動波形であって、実線波形のうち、隣接する各階の間の小さい揺れ（イ）は正常走行中（一定速度）の揺れ、各階の比較的大きな揺れ（ロ）はドアの開閉、乗りかご７への人の乗降時の揺れの大きさである。破線は、異常発生時の振動波形であって、地下１階（Ｂ１）と地上１階（１Ｆ）との間で正常時とは異なる揺れ（ハ）が発生していることが分る。
【００４２】
さらに、データ解析手段２２ｂは、前述した実績データ演算結果データ等を用いて、かご運転正常時における隣接階の間の小さな揺れを伴う加速度から乗りかご７の正常運転時の揺れしきい値（上下加速度値）±Ａを統計的に決定する。同様に、乗りかご７の正常運転時の各階での比較的大きな揺れしきい値（上下加速度値）±Ｂを統計的に決定し、それぞれ固有識別データごとに設定データ領域２１ｃに保存する。
【００４３】
監視処理制御部２２は、以上のようにして正常運転時の揺れしきい値±Ａ，±Ｂを決定した後、正常・異常振動分離手段２２ｃを実行する。正常・異常振動分離手段２２ｃは、データ解析手段２２ｂで解析された図２に示すかご正常時の走行時、各階時のドア開閉等の加速度データと該当する揺れしきい値（上下加速度値）±Ａ，±Ｂとを比較し、加速度データが各揺れしきい値±Ａ，±Ｂ内にあれば正常と判断し、加速度データが各揺れしきい値±Ａ，±Ｂを越えたとき機械的な故障や人が暴れている等の何らかの異常が発生したと判断する。そして、その他のデータ記憶領域２１ｄに固有識別データごとにどの高さの位置で異常が発生したかを記憶するとともに、表示部２５に表示する。
【００４４】
遠隔監視センタのオペレータは表示部２５の表示内容から建物１の名称等を特定し、保守サービス拠点に異常状態を通報するか、建物１の監視室等に通報する。
【００４５】
従って、この実施の形態によれば、各建物１のエレベータ２に取付けられた振動センサ１０で検出された個別識別データを含む時系列的に振動データを無線にて送信し、アンテナ１１にて受信した後、遠隔エレベータ監視装置２０に送信する。遠隔エレベータ監視装置２０の監視処理制御部２２は、受け取った振動データを順次データベース２１に時系列的に保存するとともに、この保存された振動データを解析し、加速度及び乗りかご７の高さ位置を求める。そして、実績データから得られた加速度と予め設定される乗りかご正常時の揺れしきい値とから正常と異常の振動に分離し、異常時に表示部２５に表示する。
【００４６】
なお、上記実施の形態では、振動センサ１０で検出されたｚ軸成分の縦軸となる加速度について述べたが、ｘ軸及びｙ軸成分に対応する縦軸となる加速度及び揺れしきい値を求めれば、エレベータの異常故障・異常前兆・かご内の異常を精度よく判断することが可能である。但し、ｘ軸及びｙ軸成分に対応する横軸となる高さ位置は前述したｚ軸成分からのみ求められる。
【００４７】
また、ｘ軸、ｙ軸、ｚ軸成分における各加速度をＡｘ，Ａｙ，Ａｚとしたとき、下記式に基づいて各軸加速度全体の大きさ（２乗和の平方根）を求める。
【００４８】
Ａ＝（Ａｘ2  ＋Ａｙ2  ＋Ａｚ2  ）1/2                          ……（３）
そして、Ａに対して図２と同様の処理を行い走行中及び停止中の乗りかご正常時の該当揺れしきい値とを比較し、正常と異常（故障を含む）との振動に分離する構成であっても構わない。
【００４９】
さらに、実績データ蓄積手段２２ａとデータ解析手段２２ｂとをそれぞれ独立可能なソフトで実現すれば、実績データ蓄積手段２２ａとデータ解析手段２２ｂとが個別並列的に所定の処理を実行できる。
【００５０】
（実施の形態２）
図３は本発明に係るビルの監視システムの実施の形態２を説明する図である。  
この実施の形態は、監視処理制御部２２には、新たに快適性判断手段２２ｅ及びサービス情報提供手段２２ｆが設けられる。快適性判断手段２２ｅは、データ解析手段２２ｂまたは正常・異常振動分離手段２２ｃの出力側に設けられ、エレベータ２の乗りかご７が正常走行時にデータ解析手段２２ｂで解析された例えば図２に示す加速度データから乗りかご７の快適性を判断する機能を持っている。サービス情報提供手段２２ｆは、快適性判断手段２２ｅで判断された乗りかご７に関する乗り心地の快適性データを該当建物１の該当エレベータ乗りかご内や監視室または管理人室に提供する機能を有する。
【００５１】
また、この実施の形態では、データベース２１の設定データ領域２１ｃに乗りかご７の乗り心地を表す快適性データを設定する。乗り心地を表す快適性データは、多くのエレベータ２におけるから正常走行時の図２に示す加速度データから統計解析を実施し、加速度（振動）の振幅レベルを複数段階例えばａ，ｂ，ｃ，ｄに分類し、最も小さい振幅レベルａを非常に快適、振幅レベルａよりも大きい振幅レベルｂを快適，振幅レベルｂよりも大きい振幅レベルｃを少々快適，振幅レベルｃよりも大きい振幅レベルｄを不快とする乗り心地の快適性データを設定する。
【００５２】
その他の構成は実施の形態１と同様であるので、実施の形態１に譲る。
【００５３】
以上のように設定データ領域２１ｃに乗り心地を表す快適性データを設定した後、遠隔エレベータ監視装置２０の監視処理制御部２２は、データ解析手段２２ｂまたは正常・異常振動分離手段２２ｃの実行後、快適性判断手段２２ｅを実行する。快適性判断手段２２ｅは、データ解析手段２２ｂで解析された例えば図２に示す乗りかご７の正常走行時の加速度（振動）データから振動振幅レベルを算出する。そして、この算出された振動振幅レベルに基づき、図４に示す乗り心地を表す快適性データを参照し、乗りかご７の快適性を判断する。この快適性判断結果は、データベース２１の例えばその他のデータ記憶領域２１ｄに固有識別データごとに保存される。
【００５４】
サービス情報提供手段２２ｆは、乗りかご内にも乗客に対し現在の乗り心地表示を行うとともに、所定の期間経過ごとに、その他のデータ記憶領域２１ｄから固有識別データで特定される例えば建物１ごとに該当する乗り心地を表す快適性データを読み出して表示部２５に表示し、監視室や管理人室等のユーザに提供する。
【００５５】
従って、以上のような実施の形態によれば、定期的に乗りかご７の乗り心地を確認し、保守点検の必要性を提示することができる。
【００５６】
（実施の形態３）
図５は本発明に係るビルの監視システムの実施の形態３を説明するための遠隔エレベータ監視装置の構成図である。  
この実施の形態は、エレベータ２の乗りかご７内のセキュリティの安全性を確保するエレベータの監視システムである。
【００５７】
通常、乗りかご７内のセキュリティの確保は、乗りかご７内に監視カメラを設置し、例えば建物１の監視室等で監視するとか、あるいは監視カメラで撮影された画像データを記憶装置に記憶し、乗りかご７で犯罪が行われた際に記憶装置から画像データを読み出し、解析することが行われている。
【００５８】
しかし、監視カメラによる監視は、監視室の監視員による監視項目が多いことから、見落として発見が遅れるケースが多い。また、記憶装置に画像データを記憶する例は、暴漢に襲われた後の事故処理であり、安全性を確保することが難しい。
【００５９】
そこで、本発明に係るエレベータの監視システムは、次のように構成される。本発明に係るエレベータの遠隔監視システムは、実施の形態１と同様の構成であるので、当該実施の形態１の説明に譲り、特に異なる点について図５を参照して説明する。
【００６０】
すなわち、遠隔エレベータ監視装置２０の監視処理制御部２２としては、機能的には、正常・異常振動分離手段２２ｃの出力側に監視通報処理手段２２ｇが設けられている。
【００６１】
実施の形態１では、正常・異常振動分離手段２２ｃにより、エレベータ２の正常運転と故障・異常とに分離された後、異常時に表示部２５の表示する構成である。
【００６２】
そこで、監視通報処理手段２２ｇは、前記固有識別データから建物１の名称等を特定し、保守員を現場に派遣する保守サービス拠点または該当建物１の監視室等に故障・異常の発生を通報すると同時にベル音や声で異常を知らせる機能をもっているので、オペレータに確実に認識させることができる。
【００６３】
よって、この実施の形態によれば、実施の形態と同様の効果を奏する他、加速度データと予め設定される乗りかご正常時の揺れしきい値とから正常と故障・異常とに分離し、故障・異常時には保守サービス拠点や該当する建物１の監視室に通報するので、例えば監視カメラによる監視の場合に見落とすことがあったとしても、確実に通報できる。よって、この通報に基づき、乗りかご７内の監視カメラにより人が暴漢に襲われているか確認でき、より安全性の高いセキュリティを確保できる。
【００６４】
（実施の形態４）
この実施の形態は、前述した正常・異常振動分離手段２２ｃにおいて異常振動と分離された場合、さらに個別的に異常内容を判別する例である。従って、この実施の形態は、異常時に個別的な異常内容を判別する点を除けば、その他の構成は前述し各実施の形態１，２，３と同様であるので、ここでは図１，図３及び図５を参照して説明する。
【００６５】
通常、エレベータ２の異常内容と乗りかご７の振動との間に密接な関係を有している。例えば機械系の異常が発生した場合、エレベータ２の走行中のほぼ同じ場所（例えば高さ位置）で比較的規則的に異常振動が発生する。また、異常振動は発生場所や機械系の構成部材の異常によっても異なる。また、乗りかご７内で人が暴漢に襲われたり、人が倒れたりした場合、偶発的、かつ、特徴的な異常振動が発生する。例えばかご内で暴漢に襲われた場合、乗りかご７が比較的短い周期で前後・左右・上下に大きく揺れる異常振動が発生し、また人が倒れた場合には走行中に突発的に大きな揺れを伴った後に正常走行の振動に戻る。よって、機械系の場合には、当該建物や他の建物で過去に発生した、種々の機械的故障時の振動センサ１０で検出された振動パターンを蓄積し、また後者の場合の人が暴漢に襲われたり、人が倒れたりした場合は、予め人を使って模擬的に事象を作り、振動センサ１０で検出される振動を収集することにより、特徴的な振動パターンを得ることができる。
【００６６】
そこで、本発明システムにおいては、予めデータベース２１の設定データ領域２１ｃに異常内容と特徴振動パターンとを記憶する。また、遠隔エレベータ監視装置２０の監視処理制御部２２において、正常・異常振動分離手段２２ｃの出力側に、新たに異常内容判別手段が設けられる。その他の構成は、前述した各実施の形態と同様であるので、それらの実施形態の説明に譲る。
【００６７】
次に、以上のような実施の形態における作用について説明する。監視処理制御部２２は、前述した実績データ蓄積手段２２ａ及びデータ解析手段２２ｂを実行した後、正常・異常振動分離手段２２ｃは、解析結果データ（例えば乗りかご７の走行時の例えば図２に示す加速度）などを用い、当該加速度と予め取得されて設定データ領域２１ｃに格納されるかご正常運転時の揺れしきい値とを比較し、乗りかご７の運転時や停止時の振動の正常と異常とを判断し、異常と判断された場合には当該異常に関連する加速度データないし異常振動を新たに付加した異常内容判別手段に送出する。
【００６８】
異常内容判別手段は、正常・異常振動分離手段２２ｃで分離された加速度データないし異常振動に基づき、データベース２１の設定データ領域２１ｃに格納される特徴振動パターンを参照し、分離された例えば異常振動が何れかの特徴的な振動パターンとほぼ等しい振動パターンを検索する。そして、当該振動パターンに対応する異常内容データに基づいて異常内容を判別し、実施の形態１のように表示部２５に表示するか、実施の形態３のように監視通報手段２２ｇを介して保守サービス拠点または建物１の監視室に通報する。
【００６９】
従って、この実施の形態によれば、異常振動からエレベータ２及びかご７内の異常内容を容易に判別でき、判別精度の高い異常内容を速やかに遠隔監視センタで把握することができ、またユーザ等に対して的確、かつ、迅速に異常内容を通報できる。
【００７０】
（実施の形態５）
図６は本発明に係るビルの監視システムの実施の形態５を示す構成図である。  
ビルの遠隔監視システムとしては、各建物１のエレベータ２内だけでなく、各建物１が建っている地面固定部に無線タグ形式の振動センサ３１、建物自体の複数部位にも無線タグ形式の振動センサ３２ａ，３２ｂ，３２ｃが設置され、振動センサ１０を含む他の振動センサ３１，３２ａ，３２ｂ，３２ｃから固有識別データとともに各部位の振動データを送信する。同一の建物１内に設置されるアンテナ１１は各振動センサ１０，３１，３２ａ，３２ｂ，３２ｃから送信されるデータを受信し、通信制御機器１２に送出する。
【００７１】
通信制御機器１２は、各振動センサ１０，３１，３２ａ，３２ｂ，３２ｃから送信されてくる固有識別データを含む振動データを、周期的、かつ、交互に取り込み、通信ネットワーク１３を介して遠隔監視センタ内の遠隔エレベータ監視装置２０に送信する。
【００７２】
遠隔エレベータ監視装置２０としては、公共機関で管理する地震震度分布観測点（図７参照）以外の多数の地点に建てられる多くの建物１のエレベータ２を管理するだけでなく、当該エレベータ２を設置する各建物１の地面固定部や建物自体の複数部位の振動データを収集し監視する構成である。
【００７３】
遠隔エレベータ監視装置２０は、データベース３３と、ＣＰＵで構成される監視処理制御部３４と、キーボードその他マウスなどのポインティングデバイスなどからなるデータ入力手段３５と、データバッフア記憶部３６と、表示部３７とで構成される。
【００７４】
データベース３３には、実績データ蓄積領域２１ａ、地震震度データ記憶領域３３ａ、建物強度参照データ記憶領域３３ｂ及び各建物強度データ記憶領域３３ｃが設けられている。地震震度データ記憶領域３３ａには、例えば各建物１の地面固定部に設置される振動センサ３１の固有識別データ、各建物１の地面固定部の経緯度データ及び各建物１の地面固定部の震度データ格納領域が設けられている。建物強度参照データ記憶領域３３ｂｃには、建築基準法に準拠（図９参照）した地震震度、建物用途ごとに定められる建物各部位の構造強度要求性能及び建物各部位の構造強度要求性能に対する揺れしきい値等が格納されている。
【００７５】
監視処理制御部３４は、機能的には，地震震度サービス提供系と建物強度サービス提供系とに分けられる。地震震度サービス提供系と建物強度サービス提供系との何れか一方または両方を用いるか任意である。
【００７６】
地震震度サービス提供系は、実績データ蓄積手段３４ａと、地震震度解析手段３４ｂと、地震震度分布生成手段３４ｃと、予め契約関係に公共機関等に対して各建物１の地震震度情報または地震震度分布情報を配信する情報サービス配信手段３４ｄとで構成される。
【００７７】
建物強度サービス提供系は、実績データ蓄積手段３４ａと、建物揺れ解析手段３４ｅと、建物強度判定手段３４ｆと、各建物１を管理するユーザに管理建物の強度判定結果を提供する情報サービス配信手段３４ｄとで構成される。
【００７８】
（Ａ）  次に、遠隔エレベータ監視装置２０を構成する監視処理制御部３４の地震震度サービス提供系の作用について説明する。
【００７９】
監視処理制御部３４の実績データ蓄積手段３４ａは、各建物１に設置される通信制御機器１２から伝送されてくる各振動センサ１０，振動センサ３１，３２ａ，３２ｂ，３２ｃの固有識別データを含む振動データを順次受信し、データベース３３の実績データ記憶領域２１ａに時系列的に記憶し蓄積していく。
【００８０】
地震震度解析手段３４ｂは、各建物１の地面固定部に設置される振動センサ３１の振動データ（加速度）から気象庁震度階に基づく９段階の中の１つの震度を決定し、前記地震震度データ記憶領域３３ａの該当建物１の地面固定部の経緯度データに対応する地面固定部の震度データ格納領域に記憶する。以前は震度観測は体感で行われていたが、現在は器械により観測され、計測震度と呼ばれる。計測震度は加速度波形から計算され、計測震度の計算には、加速度の大きさの他にも、揺れの周期や継続時間が考慮される。地震震度の求め方は下記の気象庁ホームページを参照。
【００８１】
http://www.seisvol.kishou.go.jp/eq/kyoshin/kaisetsu/comp.htm
以下、地震震度解析手段３４ｂは、順次、各建物１の地面固定部に設置される振動センサ３１の振動データから１つの震度を求めて地震震度データ記憶領域３３ａに記憶する。
【００８２】
地震震度分布生成手段３４ｃは、地震震度解析手段３４ｂで求めた多数の建物１，…の震度に関し、建物１の地面固定部の経緯度データを用いて、編集処理を実施し、例えば要求地域の地図上の経緯度地点に決定され震度データを書き込む処理を実施する。そして、該当地域の全地域の管理対象とする地域の多数の建物１の経緯度地点に震度データを書き込み終了した後、情報サービス配信手段３４ｄに移行する。
【００８３】
情報サービス配信手段３４ｄは、予め契約されている例えば公共機関にアクセスし、ネットワーク回線の確立後、前述した地震震度解析手段３４ｂで取得された経緯度地点の震度データまたは地震震度分布生成手段３４ｃで取得された地図上の経緯度地点に震度データをプロットした震度情報を提供する。
【００８４】
これにより、公共機関等においては、当該公共機関で管理する地震震度分布観測点以外の多数の地点の震度情報を迅速に取得でき、また広域にわたって細かい詳細な地震震度分布情報が得られるので、各家庭で知りたい該当周辺地域の地震震度情報も提供できる。
【００８５】
（Ｂ）  次に、遠隔エレベータ監視装置２０を構成する監視処理制御部３４の建物強度サービス提供系の作用について説明する。
【００８６】
監視処理制御部３４の実績データ蓄積手段３４ａは、前述したように各建物１に設置される通信制御機器１２から伝送されてくる各振動センサ１０，振動センサ３１，３２ａ，３２ｂ，３２ｃの固有識別データを含む振動データを順次受信し、既にデータベース３３の実績データ記憶領域２１ａに時系列的に蓄積されている。
【００８７】
そこで、建物揺れ解析手段３４ｅは、実績データ蓄積手段３４ａから各建物１の複数部位に設置される振動センサ３２ａ〜３２ｃの振動データを抽出し、データバッフア記憶部３６に記憶する。
【００８８】
しかる後、データバッフア記憶部３６から１つの振動センサ３２ａの時系列的な振動データを読み出し、その加速度の大きさ，つまり揺れを解析する。他の振動センサ３２ｂ，３２ｃの時系列的な振動データについても同様に揺れを解析し、次の建物強度判定手段３４ｆに移行する。
【００８９】
建物強度判定手段３４ｆは、地震震度解析手段３４ｂで得られた当該建物が建っている地点の震度情報と建物強度参照データ３３ｂを用いて、下記に示す方法で建築基準法に準拠した耐震強度をもっているかを判定する。ここでは、図９（ｂ）一般ビルの場合で説明するが、重要ビルの場合も同様である。地震震度が５弱であれば、建物各固定部位の揺れがその部位の構造強度の揺れ許容値以内か否か判定する。地震震度が５強から６弱であれば、建物各固定部位の揺れがその部位の構造強度の揺れ限界値以内か否か判定する。地震震度が６強以上であれば、建物各固定部位の揺れが倒壊・崩壊限界値以内か否か判定する。このようにして、地震が発生する毎に建築基準法に準拠した耐震強度を保っているか否かを判定し、各建物１、・・・ごとに各建物強度データ記憶領域３３ｃに格納するとともに、情報サービス配信手段３４ｄに移行し、建物オーナや居住者等のユーザに提供する。
【００９０】
これにより、建物オーナや居住者等のユーザは、自身が所有する建物が建築基準法に準拠した耐震強度以上か、否か、つまり、建物の安全性を実際の計測データに基づいて検証することができる。
【００９１】
（Ｂ−１）  前記（Ｂ）の他の適用例１について説明する。  
前述した建物揺れ解析手段３４ｅにより、地域に点在する多数の建物１の揺れを解析されている。
【００９２】
そこで、建築強度判定手段３４ｆは、地震発生時、該当建物が建っているところと地震震度が同じ地域の類似の建物の揺れの平均値を算出し、この平均揺れ値と該当建物の揺れとを比較し、相対的な差の数値を付し、情報サービス配信手段３４ｄを介してオーナや居住者等のユーザに提供することも可能である。
【００９３】
（Ｂ−２）  さらに、前記（Ｂ）の他の適用例２について説明する。  
データベース３３の実績データ蓄積領域２１ａには、前述したように実績データ蓄積手段３４ａの実行により、地震発生時の各建物１，…の各部位の振動センサ３２ａ〜３２ｃの振動データが蓄積され、かつ、地震震度データ記憶領域３３ａに各建物１，…に立っている場所のその時の地震震度が格納されている。
【００９４】
そこで、このシステムでは、建物強度判定手段３４ｆは、新たに地震が発生した時、データベース３３から過去の同じ震度時の建物１の揺れを抽出し、今回発生した地震の揺れとを比較し、前回と同じか、或いは前回よりも大きく揺れているかを判定し、その数値の差により建物の劣化度の評価や建物の劣化度の評価に基づく既に記憶される建物の専門家の知識や経験データのもとに定められる補修・建替え時期を推定し、各建物１，…ごとに建物強度データ記憶領域３３ｃに格納するとともに、情報サービス配信手段３４ｄを介して建物オーナや居住者等のユーザに提供することも可能である。
【００９５】
（Ｂ−３）  前記（Ｂ）の他の適用例３について説明する。  
大地震の発生時、実績データ蓄積手段３４ａ及び建物揺れ解析手段３４ｅの実行に基づき、各振動センサ３１，３２ａ〜３２ｃの振動データ及び各建物の揺れが求められている。そこで、建物強度判定手段３４ｆは、これら建物１，…の振動データ及び各建物の揺れと、建物強度参照データ記憶領域３３ｂに格納される建築基準法に準拠した地震震度及び建物各部位の構造強度に対する揺れしきい値とを考慮し、各建物１，…の倒壊等の被害状況を推定し、大きな被害が出ていそうな建物１，…に対し、予め定める被害推定情報の中から最適な被害推定情報を取り出し、救助する際の優先順位等の参考情報として、情報サービス配信手段３４ｄを介して適切な公共機関に提供する。
【００９６】
これにより、適切な公共機関は、何れの地域に救助を必要とする多くの建物が存在するかを把握でき、救助の際の対策を立てやすくなる。
【００９７】
（その他の実施の形態）
なお、本願発明は、上記実施の形態に限定されるものでなく、その要旨を逸脱しない範囲で種々変形して実施できるものである。
【００９８】
上記実施の形態１では、複数の建物１、…に対するエレベータ２及び乗りかご７内の状況を遠隔エレベータ監視装置２０で監視する構成であるが、例えば単独の建物１に対する複数の振動センサ１０，３１，３２ａ〜３２ｃに適用しても構わない。このような場合には、遠隔監視ではなく、その建物自体に本願発明を設置することになる。
【００９９】
また、上記実施の形態では、正常・異常振動の分離やエレベータ２の機械故障による異常振動と人が暴れたり、人が倒れたりした時の振動とを自動分離する手法としては、例えば振動センサ例えば１０に関する加速度信号Ａｘ，Ａｙ，Ａｚ軸成分を個別に解析するのではなく、現象を多次元的に扱うため主成分分析した信号に対し、ウェーブレット解析を行っても構わない。
【０１００】
その他、各実施の形態は、可能な限り組み合わせて実施することも可能であり、その場合には組み合わせによる効果が得られる。
【図面の簡単な説明】
【０１０１】
【図１】本発明に係るビルの監視システムの実施の形態１を示す構成図。
【図２】エレベータ２に設置された振動センサの出力を、図1に示す遠隔エレベータ監視装置でデータ解析して得られた1軸方向成分の加速度と高さ位置との関係を示す図。
【図３】本発明に係るビルの監視システムの実施の形態２を説明するための遠隔エレベータ監視装置の構成図。
【図４】図３に示すデータベースに形成される乗り心地を表す快適性データの配列図。
【図５】本発明に係るビルの監視システムの実施の形態３を説明するための遠隔エレベータ監視装置の構成図。
【図６】本発明に係るビルの監視システムの実施の形態５を示す構成図。
【図７】公共機関が管理する関東地域の震度観測点を示す図。
【図８】２００５年０７月２３日に千葉県北西部で発生した地震に関する横浜の観測点で観測された波形図。
【図９】建築基準法に準拠した地震震度と建物強度の要求性能との関係を説明する図。
【符号の説明】
【０１０２】
１…建物、２…エレベータ、７…乗りかご、１０…振動センサ、１１…アンテナ、１２…通信制御機器、１３…通信ネットワーク、２０…遠隔エレベータ監視装置（ビル監視装置）、２１…データベース、２２…監視処理制御部、２２ａ…実績データ蓄積手段、２２ｂ…データ解析手段、２２ｃ…正常・異常振動分離手段、２２ｅ…快適性判断手段、２２ｆ…サービス情報提供手段、２２ｇ…監視通報手段、２５…表示部、３１，３２ａ〜３２ｃ…振動センサ、３３…データベース、３４…監視処理制御部、３４ａ…実績データ蓄積手段、３４ｂ…地震震度解析手段、３４ｃ…地震震度分布生成手段、３４ｄ…情報サービス配信手段、３４ｅ…建物揺れ解析手段、３４ｆ…建物強度判定手段、３７…表示部。
【図１】
2008150186.tif 000003
【図２】
2008150186.tif 000004
【図３】
2008150186.tif 000005
【図４】
2008150186.tif 000006
【図５】
2008150186.tif 000007
【図６】
2008150186.tif 000008
【図７】
2008150186.tif 000009
【図８】
2008150186.tif 000010
【図９】
2008150186.tif 000011